(57)【要約】【課題】部品点数が増大するのを抑制しつつ、レバー部材が回動可能な状態で、レバー支持部材からレバー部材が脱落するのを抑制することが可能な金銭入出金装置を提供する。【解決手段】このキャッシュレジスタ１００では、金銭が収納されるマネーケース５と、軸方向と直交する方向に開放部Ａを有する回動軸受部６０を含み、マネーケース５に取付けられるレバー支持部材６と、レバー支持部材６の回動軸受部６０に対して、回動可能に取り付けられ、紙幣を押えるレバー部材３とを備える。レバー部材３は、レバー支持部材６の回動軸受部６０に開放部Ａから導入されて嵌合される第１回動軸部３３と、レバー支持部材６に当接することによりレバー部材３がレバー支持部材６から軸方向と直交する方向に脱落するのを抑制する段差部３４とを含んでいる。【選択図】図７
2015035062.tif 000002
【特許請求の範囲】
【請求項１】
金銭が収納される本体ケースと、
軸方向と直交する方向に開放部を有する回動軸受部を含み、前記本体ケースに取付けられるレバー支持部材と、
前記レバー支持部材の回動軸受部に対して、回動可能に取り付けられるとともに、紙幣を押えるレバー部材とを備え、
前記レバー部材は、前記レバー支持部材の回動軸受部に前記開放部から導入されて嵌合される回動軸部と、前記レバー支持部材に当接することにより前記レバー部材が前記レバー支持部材から前記軸方向と直交する方向に脱落するのを抑制する第１脱落抑制部とを含む、金銭入出金装置。
【請求項２】
前記回動軸受部は、前記開放部を有するＵ字状に形成されており、
前記開放部の開放幅は、前記回動軸部の径以上の大きさを有するように構成されている、請求項１に記載の金銭入出金装置。
【請求項３】
前記レバー部材は、端部に突起状の前記回動軸部が形成された取付部を含み、
前記レバー支持部材は、前記取付部が配置された状態で、前記回動軸部の軸方向への前記取付部の移動を規制する第２脱落抑制部を含む、請求項１または２に記載の金銭入出金装置。
【請求項４】
前記回動軸部と前記回動軸受部との前記軸方向の嵌合量は、前記取付部と前記レバー支持部材の前記第２脱落抑制部の端面との前記軸方向の隙間よりも大きくなるように構成されている、請求項３に記載の金銭入出金装置。
【請求項５】
前記回動軸受部は、前記回動軸部の軸方向に略等間隔で３つ形成されているとともに、両端の前記回動軸受部に挟まれた中央の前記回動軸受部を共用することによって、前記レバー部材を２通りの配置により取り付け可能に構成されている、請求項１〜４のいずれか１項に記載の金銭入出金装置。
【請求項６】
前記回動軸部は、前記取付部の内側に向かって前記軸方向に沿って延びる第１回動軸部と、前記取付部の外側に向かって前記軸方向に沿って延びる第２回動軸部とを有し、
前記取付部は、前記軸方向の一方側に配置される第１取付部と、他方側に配置される第２取付部とを有し、
前記回動軸受部は、前記軸方向に複数形成され、前記回動軸受部に前記第１回動軸部または前記第２回動軸部が嵌合された状態で、前記第１取付部および前記第２取付部を前記軸方向のいずれの方向側にも配置可能に構成されている、請求項３または４に記載の金銭入出金装置。
【請求項７】
前記回動軸受部は、前記軸方向の一方側に配置された第１回動軸受部と、他方側に配置された第２回動軸受部とを含み、
前記第１回動軸受部および前記第２回動軸受部の前記軸方向の一方側にそれぞれ前記第１取付部および前記第２取付部が配置される配置と、他方側にそれぞれ前記第１取付部および前記第２取付部が配置される配置との２通りの配置により、前記レバー部材を取り付け可能に構成されている、請求項６に記載の金銭入出金装置。
【請求項８】
前記レバー支持部材は、３つの前記レバー部材を第１間隔で取り付け可能であるとともに、４つの前記レバー部材を前記第１間隔とは異なる第２間隔で取り付け可能なように構成されている、請求項５〜７のいずれか１項に記載の金銭入出金装置。
【請求項９】
金銭が収納される本体ケースと、
軸方向と直交する方向に開放部を有する回動軸受部を含み、前記本体ケースに取付けられるレバー支持部材と、
前記レバー支持部材の回動軸受部に対して、回動可能に取り付けられるとともに、紙幣を押えるレバー部材とを備え、
前記レバー部材は、前記レバー支持部材の回動軸受部に前記開放部から導入されて嵌合される回動軸部と、前記レバー支持部材に当接することにより前記レバー部材が前記レバー支持部材から前記軸方向と直交する方向に脱落するのを抑制する脱落抑制部とを含む、金銭収納装置。
【発明の詳細な説明】
【技術分野】
【０００１】
この発明は、金銭入出金装置および金銭収納装置に関し、特に、紙幣を押えるレバー部材を備える金銭入出金装置および金銭収納装置に関する。
【背景技術】
【０００２】
従来、紙幣を押えるレバー部材を備える金銭入出金装置が知られている（たとえば、特許文献１参照）。
【０００３】
上記特許文献１には、上面開口のキャッシュボックス（本体ケース）と、支持部材（レバー支持部材）を介してキャッシュボックスに取り付けられ、紙幣を押える札押え（レバー部材）とを備えたドロワ装置（金銭入出金装置）が開示されている。この札押えは、紙幣を押える押圧部と、押圧部を回動可能に軸支するフック部とを含んでいる。また、これらの支持部材および札押えのフック部には、それぞれ嵌合部および嵌合孔が形成されている。そして、札押えは、支持部材の嵌合部がフック部の嵌合孔に嵌め込まれることによって、支持部材に取り付けられるように構成されている。
【先行技術文献】
【特許文献】
【０００４】
【特許文献１】特開２００４−１２６８４７号公報
【発明の概要】
【発明が解決しようとする課題】
【０００５】
しかしながら、上記特許文献１に記載のドロワ装置では、札押えは、支持部材に支持されることにより脱落が抑制される一方、フック部が押圧部を回転可能に軸支することにより、札押えが押圧部とフック部との２つの部材から構成されるという不都合がある。この結果、部品点数が増大するという問題点がある。
【０００６】
この発明は、上記のような課題を解決するためになされたものであり、この発明の１つの目的は、部品点数が増大するのを抑制しつつ、レバー部材が回動可能な状態で、レバー支持部材からレバー部材が脱落するのを抑制することが可能な金銭入出金装置および金銭収納装置を提供することである。
【課題を解決するための手段】
【０００７】
この発明の第１の局面による金銭入出金装置は、金銭が収納される本体ケースと、軸方向と直交する方向に開放部を有する回動軸受部を含み、本体ケースに取付けられるレバー支持部材と、レバー支持部材の回動軸受部に対して、回動可能に取り付けられるとともに、紙幣を押えるレバー部材とを備え、レバー部材は、レバー支持部材の回動軸受部に開放部から導入されて嵌合される回動軸部と、レバー支持部材に当接することによりレバー部材がレバー支持部材から軸方向と直交する方向に脱落するのを抑制する第１脱落抑制部とを含む。
【０００８】
この発明の第１の局面による金銭入出金装置では、上記のように、レバー支持部材の回動軸受部に対して、回動可能に取り付けられるとともに、紙幣を押えるレバー部材を設けることによって、レバー部材を２つの部材により構成しなくてもレバー部材を回動可能に構成することができるので、部品点数が増大するのを抑制することができる。また、レバー部材に、レバー支持部材の回動軸受部に開放部から導入されて嵌合される回動軸部と、レバー支持部材に当接することによりレバー部材がレバー支持部材から軸方向と直交する方向に脱落するのを抑制する第１脱落抑制部とを設ける。これにより、レバー部材の使用時において、第１脱落抑制部がレバー支持部材に当接するので、レバー支持部材からレバー部材が開放部を介して軸方向と直交する方向に脱落するのを抑制することができる。その結果、レバー部材により安定して紙幣などを押えることができる。
【０００９】
上記第１の局面による金銭入出金装置において、好ましくは、回動軸受部は、開放部を有するＵ字状に形成されており、開放部の開放幅は、回動軸部の径以上の大きさを有するように構成されている。このように構成すれば、回動軸部の径以上の大きさの開放幅を有する開放部から回動軸部を導入することができるので、弾性変形させることなくレバー部材をレバー支持部材に取り付けることができる。これにより、弾性変形に起因して、レバー部材が破損するのを防止することができる。また、Ｕ字形状に形成された回動軸受部の開放部から回動軸部を導入することにより、回動軸受部と回動軸部とを嵌合させることができるので、簡易な構成で簡単にレバー部材をレバー支持部に取付けることができる。
【００１０】
上記第１の局面による金銭入出金装置において、好ましくは、レバー部材は、端部に突起状の回動軸部が形成された取付部を含み、レバー支持部材は、取付部が配置された状態で、回動軸部の軸方向への取付部の移動を規制する第２脱落抑制部を含む。このように構成すれば、レバー部材の使用時に、レバー部材の取付部の軸方向の移動が規制されるので、レバー部材の回動軸部が回動軸受部から軸方向に外れるのを抑制することができる。これにより、レバー支持部材からレバー部材が脱落するのをより抑制することができる。
【００１１】
この場合、好ましくは、回動軸部と回動軸受部との軸方向の嵌合量は、取付部とレバー支持部材の第２脱落抑制部の端面との軸方向の隙間よりも大きくなるように構成されている。このように構成すれば、レバー部材が、取付部とレバー支持部材の第２脱落抑制部の端面との軸方向の隙間以上に軸方向に移動することができなくなるので、レバー支持部材からレバー部材が脱落するのを確実に抑制することができる。
【００１２】
上記第１の局面による金銭入出金装置において、好ましくは、回動軸受部は、回動軸部の軸方向に略等間隔で３つ形成されているとともに、両端の回動軸受部に挟まれた中央の回動軸受部を共用することによって、レバー部材を２通りの配置により取り付け可能に構成されている。このように構成すれば、レバー部材の取付け位置を近接する他の位置に変更することができるので、レバー部材の取付け位置の自由度を高めることができる。また、回動軸受部を共用することによって、回動軸部が取り付けられる各々の位置に回動軸受部を設ける必要がなくなる。これにより、装置構成を簡略化することができる。
【００１３】
上記レバー部材が一対の取付部を含む構成において、好ましくは、回動軸部は、取付部の内側に向かって軸方向に沿って延びる第１回動軸部と、取付部の外側に向かって軸方向に沿って延びる第２回動軸部とを有し、取付部は、軸方向の一方側に配置される第１取付部と、他方側に配置される第２取付部とを有し、回動軸受部は、軸方向に複数形成され、回動軸受部に第１回動軸部または第２回動軸部が嵌合された状態で、第１取付部および第２取付部を軸方向のいずれの方向側にも配置可能に構成されている。このように構成すれば、第１回動軸受部および第２回動軸受部に対して、第１取付部および第２取付部を、軸方向のいずれの方向側からでも嵌合させることができるので、レバー部材の取付け位置の自由度をより高めることができる。
【００１４】
上記第１取付部および第２取付部がいずれの方向側にも配置可能な構成において、好ましくは、回動軸受部は、軸方向の一方側に配置された第１回動軸受部と、他方側に配置された第２回動軸受部とを含み、第１回動軸受部および第２回動軸受部の軸方向の一方側にそれぞれ第１取付部および第２取付部が配置される配置と、他方側にそれぞれ第１取付部および第２取付部が配置される配置との２通りの配置により、レバー部材を取り付け可能に構成されている。このように構成すれば、レバー部材の取付け位置を近接する他の位置に変更することができるので、レバー部材の取付け位置の自由度を高めることができる。
【００１５】
上記回動軸受部が略等間隔で３つ形成される構成において、好ましくは、レバー支持部材は、３つのレバー部材を第１間隔で取り付け可能であるとともに、４つのレバー部材を第１間隔とは異なる第２間隔で取り付け可能なように構成されている。このように構成すれば、金銭入出金装置のレバー部材の数が、一般的に多く使用される３つまたは４つとなるように、レバー部材を適切な配置で取り付けることができる。
【００１６】
この発明の第２の局面による金銭収納装置は、金銭が収納される本体ケースと、軸方向と直交する方向に開放部を有する回動軸受部を含み、本体ケースに取付けられるレバー支持部材と、レバー支持部材の回動軸受部に対して、回動可能に取り付けられるとともに、紙幣を押えるレバー部材とを備え、レバー部材は、レバー支持部材の回動軸受部に開放部から導入されて嵌合される回動軸部と、レバー支持部材に当接することによりレバー部材がレバー支持部材から軸方向と直交する方向に脱落するのを抑制する脱落抑制部とを含む。
【００１７】
この発明の第２の局面による金銭収納装置では、上記のように、レバー支持部材の回動軸受部に対して、回動可能に取り付けられるとともに、紙幣を押えるレバー部材を設けることによって、レバー部材を２つの部材により構成しなくてもレバー部材を回動可能に構成することができるので、部品点数が増大するのを抑制することができる。また、レバー部材に、レバー支持部材の回動軸受部に開放部から導入されて嵌合される回動軸部と、レバー支持部材に当接することによりレバー部材がレバー支持部材から軸方向と直交する方向に脱落するのを抑制する脱落抑制部とを設ける。これにより、レバー部材の使用時において、脱落抑制部がレバー支持部材に当接するので、レバー支持部材からレバー部材が脱落するのを抑制することができる。その結果、レバー部材により安定して紙幣などを押えることができる。
【発明の効果】
【００１８】
本発明によれば、上記のように、部品点数が増大するのを抑制しつつ、レバー部材が回動可能な状態で、レバー支持部材からレバー部材が脱落するのを抑制することが可能な金銭入出金装置および金銭収納装置を提供することができる。
【図面の簡単な説明】
【００１９】
【図１】本発明の第１実施形態によるキャッシュレジスタの全体構成を示した斜視図である。
【図２】本発明の第１実施形態によるキャッシュレジスタのマネーケースにレバー部材を３つ取り付けた状態を示した斜視図である。
【図３】本発明の第１実施形態によるキャッシュレジスタのレバー部材を示した斜視図である。
【図４】本発明の第１実施形態によるキャッシュレジスタのレバー支持部材を示した斜視図である。
【図５】本発明の第１実施形態によるキャッシュレジスタのマネーケースにレバー部材を４つ取り付けた状態を示した斜視図である。
【図６】本発明の第１実施形態によるキャッシュレジスタのレバー支持部材にレバー部材を取り付けた状態を示す部分拡大図である。
【図７】本発明の第１実施形態によるキャッシュレジスタのレバー部材の回動について説明するための図である。
【図８】本発明の第１実施形態によるキャッシュレジスタのレバー支持部材にレバー部材を取り付ける方法を説明するための図である。
【図９】本発明の第２実施形態によるキャッシュレジスタのレバー部材を示した斜視図である。
【図１０】本発明の第２実施形態によるキャッシュレジスタのレバー支持部材を示した斜視図である。
【図１１】本発明の第２実施形態によるキャッシュレジスタのレバー支持部材にレバー部材を取り付けた状態を示す部分拡大図である。
【図１２】本発明の第２実施形態によるキャッシュレジスタのマネーケースにレバー部材を３つ取り付けた状態を示した斜視図である。
【図１３】本発明の第２実施形態によるキャッシュレジスタのマネーケースにレバー部材を４つ取り付けた状態を示した斜視図である。
【図１４】本発明の変形例によるキャッシュレジスタのレバー支持部材にレバー部材を取り付けた状態を示す部分拡大図である。
【発明を実施するための形態】
【００２０】
以下、本発明を具体化した実施形態を図面に基づいて説明する。
【００２１】
（第１実施形態）
図１〜図８を参照して、本発明の第１実施形態によるキャッシュレジスタ１００の構成について説明する。なお、キャッシュレジスタ１００は、本発明の「金銭入出金装置」および「金銭収納装置」の一例である。
【００２２】
本発明の第１実施形態によるキャッシュレジスタ１００は、図１に示すように、紙幣やコインなどの金銭（商品券などを含む）を収納する箱型に形成されたドロワ部１と、ドロワ部１の上部に設置された金銭処理部２とから構成されている。また、キャッシュレジスタ１００は、ドロワ部１の内部に設けられたレバー部材３により紙幣を押えた状態で収納可能に構成されている。
【００２３】
ドロワ部１は、図１に示すように、１つの側面（Ｙ２方向の側面）が開放されている箱型のキャビネット４と、キャビネット４の開放部４ａからスライドにより引出可能に収納されるとともに、上面が開放されている箱型のマネーケース５とを含んでいる。また、金銭処理部２は、複数のボタンからなる入力部２ａを含み、ユーザが入力部２ａを操作することにより、商品の金額の計算処理などを行えるように構成されている。なお、マネーケース５は、本発明の「本体ケース」の一例である。
【００２４】
マネーケース５は、図１および図２に示すように、底板部５０と、底板部５０の引出し方向（Ｙ２方向）側端部から上方に延びる前板部５１と、底板部５０の幅方向（Ｘ方向）の両端部から上方に延びるとともに、マネーケース５をスライドにより引き出すための機構が設けられた一対の側板部５２と、底板部５０の収納方向（Ｙ１方向）側端部から上方に延びる背板部５３とを有している。また、マネーケース５には、内部の中心部付近に、幅方向および垂直方向（Ｚ方向）に延びる仕切部５４が設けられている。この仕切部５４により、マネーケース５は、引出し方向側（Ｙ２方向側）のコインを収納するコイン収納領域と、収納方向側（Ｙ１方向側）の紙幣を収納する紙幣収納領域との２領域に内部空間を区分するように構成されている。また、マネーケース５は、前板部５１に設けられたロック部５５により、キャビネット４に収納された状態から引き出す操作が制限されるように構成されている。
【００２５】
マネーケース５のコイン収納領域は、図１および図２に示す（図１および図２では、それぞれコインケースが取付けられた状態およびコインケースが取外された状態を示す）ように、コインが直接収納されるコインケース５６が上方から脱着自在に取り付けられるように構成されている。また、コインケース５６は、マネーケース５の幅方向に直交する方向に延びる仕切板５７が取り付けられている。コインケース５６は、この仕切板５７により、内部空間を幅方向に並ぶ複数領域に区分するように構成されている。また、仕切板５７は、取付け位置を幅方向（Ｘ方向）に変更可能に構成されている。
【００２６】
マネーケース５の紙幣収納領域は、上記のコインケース５６のような部品が取り付けられることはなく、図１または図２に示すように、マネーケース５の幅方向に直交する方向に延びる２つの仕切板５８がマネーケース５に対して、直接取り付けられるように構成されている。この２つの仕切板５８により、紙幣収納領域は、幅方向に並ぶ３つの領域に内部空間を区分するように構成されている。また、マネーケース５は、３つに区分された各領域のそれぞれに、マネーケース５に取付けられるレバー支持部材６を介して、レバー部材３が配置されるように構成されている。
【００２７】
このレバー部材３は、レバー支持部材６への取付け位置を中心として回動可能に構成されている。また、レバー部材３は、コイルばね７により、底板部５０に向けて付勢されるように構成されている。これにより、レバー部材３は、レバー部材３と底板部５０との間に配置された紙幣を安定した状態で押えるように構成されている。なお、仕切板５８は、数を３つに変更することにより、図５に示すように、紙幣収納領域を幅方向に並ぶ４つの領域に区分することも可能に構成されている。この場合には、レバー部材３は、数が４つに変更されるとともに、レバー支持部材６への取付け位置が所定の位置に変更されるように構成されている。詳細については後述する。
【００２８】
次に、図３を参照して、レバー部材３の構成について説明する。
【００２９】
レバー部材３は、図３に示すように一方端部に形成された三角形状の紙幣押圧部３０と、他方端部に端部が２つに分岐することにより形成された一対の取付部３１と、紙幣押圧部３０および取付部３１を連結する平板状の連結部３２とから構成されている。また、一対の取付部３１には、互いに対向するとともに、同一の軸線上に延びる突起状の第１回動軸部３３が先端部にそれぞれ形成されている。また、レバー部材３は、第１回動軸部３３を中心に回動可能に構成されている。なお、この第１回動軸部３３の軸方向（レバー部材の使用時の軸方向））は、上記マネーケース５の幅方向（Ｘ方向）に一致する。なお、第１回動軸部３３は、本発明の「回動軸部」の一例である。
【００３０】
また、レバー部材３の一対の取付部３１には、先端の内側に角状の段差部３４（図６参照）が形成されている。また、レバー部材３は、使用時において、段差部３４のＹ２方向側の側面がレバー支持部材６に当接することによって、レバー部材３がレバー支持部材６から脱落するのを抑制するように構成されている。詳細については、後述する。また、連結部３２には、コイルばね７を取り付けるためのばね掛け３５（図８参照）が形成されている。また、紙幣押圧部３０および連結部３２は、紙幣押圧部３０および連結部３２の間に配置された三角形状の補強部３６により補強されている。このばね掛け３５と補強部３５とは、紙幣を押さえている状態における紙幣側の裏面に形成されている。また、取付部３１には、第１回動軸部３３側（Ｙ２方向側）に僅かに突出する凸状の回動規制部３７が連結部３２に形成されている。レバー部材３は、この回動規制部３７により、使用時に、所定の角度で回動が規制されるように構成されている。詳細については後述する。なお、段差部３４は、本発明の「第１脱落抑制部」および「脱落抑制部」の一例である。
【００３１】
次に、図４を参照して、レバー支持部材６の構成について説明する。
【００３２】
レバー支持部材６は、矩形の平板状に形成されている。また、レバー支持部材６には、長辺方向（Ｘ方向）に延びる一方端部（Ｙ２方向側の端部）にＵ字状の回動軸受部６０（６０ａ〜６０ｌ）が並ぶように形成されている。また、回動軸受部６０は、上記一方端部から他方端部に向く方向（Ｙ１方向）に開放部Ａ（図７参照）を有するように形成されている。この開放部Ａは、上記の第１回動軸部３３の径Ｄ以上の大きさの開放幅Ｗを有するように構成されている。したがって、レバー支持部材６は、回動軸受部６０の開放部Ａからレバー支持部材６を導入可能に構成されている。
【００３３】
また、レバー支持部材６の回動軸受部６０（６０ａ〜６０ｌ）は、回動軸受部６０ａ〜６０ｃと、回動軸受部６０ｄおよび６０ｅと、回動軸受部６０ｆおよび６０ｇと、回動軸受部６０ｈおよび６０ｉと、回動軸受部６０ｊ〜６０ｌとが、それぞれ所定の間隔Ｌ１を隔てて配置される回動軸受群６１ａ〜６１ｅを構成している。また、各回動軸受群６１ａ〜６１ｅは、互いに所定間隔Ｌ１よりも大きな間隔Ｌ２またはＬ３を隔てて配置されている。また、１つのレバー部材３は、所定間隔Ｌ１だけ隔てた近接する２つの回動軸受部６０に対して取付けられるように構成されている。すなわち、回動軸受群６１ａおよび６１ｅは、２通りの配置により１つのレバー部材３を取り付け可能に構成されている。また、回動軸受群６１ｂ〜６１ｄは、１通りの配置により１つのレバー部材３を取り付け可能に構成されている。
【００３４】
ここで、図２、図５および図６を参照して、回動軸受群６１ａにレバー部材３を取り付ける場合を考える。この場合には、レバー部材３は、図５および図６に示す回動軸受部６０ａおよび６０ｂに取り付けられる配置パターンと、図２に示す回動軸受部６０ｂおよび６０ｃに取り付けられる配置パターンとにより、レバー支持部材６の所定位置に配置されることが可能に構成されている。また、図６に示すように、レバー部材３が回動軸受部６０ａおよび６０ｂに取り付けられる場合には、Ｘ２方向側の取付部３１は、回動軸受部６０ａのＸ２方向側に配置されるとともに、Ｘ１方向側の取付部３１は、回動軸受部６０ｂのＸ１方向側に配置されるように構成されている。
【００３５】
また、レバー支持部材６は、回動軸受群６１ａ〜６１ｅの組み合わせにより、３つのレバー部材３を第１間隔で取り付け可能であるとともに、４つのレバー部材３を第１間隔とは異なる第２間隔で取り付け可能なように構成されている。
【００３６】
すなわち、レバー支持部材６は、図２に示すように、３つのレバー部材３を取り付ける場合には、回動軸受群６１ａの回動軸受部６０ｂおよび６０ｃと、回動軸受群６１ｃと、回動軸受群６１ｅの回動軸受部６０ｊおよび６０ｋとに、それぞれレバー部材３を取り付けることにより、隣り合うレバー部材３が第１間隔となるように構成されている。また、レバー支持部材６は、図５に示すように、４つのレバー部材３を取り付ける場合には、回動軸受群６１ａの回動軸受部６０ａおよび６０ｂと、回動軸受群６１ｂと、回動軸受群６１ｄと、回動軸受群６１ｅの回動軸受部６０ｋおよび６０ｌとに、それぞれレバー部材３を取り付けることにより、隣り合うレバー部材３が第２間隔となるように構成されている。
【００３７】
また、レバー支持部材６には、図７に示すように、近接した２つの回動軸受部６０の開放部Ａに対向する位置に１つのばね掛け６２がそれぞれ形成されている。レバー部材３は、このばね掛け６２とレバー部材３のばね掛け６２との間にコイルばね７が取り付けられることにより、図７における第１回動軸３３回りの時計回り方向に付勢されるように構成されている。
【００３８】
また、レバー支持部材６は、図４に示すように、マネーケース５の突起部５ａに係合させて、マネーケース５に対する位置を決めるための長円状の位置決め孔６３を有している。また、レバー支持部材６は、マネーケース５に取付けるためのボルトを通す孔６４を有している。また、レバー支持部材６は、マネーケース５に対して、幅方向の位置を決めるための一対の係止部６５を有している。また、レバー支持部材６は、金属板の板金加工により構成されている。
【００３９】
次に、図６を参照して、レバー支持部材６に取付けられたレバー部材３が脱落するのを抑制するための、レバー部材３およびレバー支持部材６の構成について説明する。
【００４０】
レバー部材３は、図６に示すように、回動軸受群６１ａの回動軸受部６０ａおよび６０ｂに取付けられている。レバー部材３およびレバー支持部材６は、第１回動軸部３３と回動軸受部６０ｂとの軸方向（Ｘ方向）の嵌合量Ｌ４が、Ｘ１方向側の取付部３１と回動軸受部６０ｃのＸ１方向側の脱落抑制端面６６との軸方向の隙間Ｌ５よりも大きくなるように構成されている。これにより、レバー部材３は、使用時において常に、回動軸受部６０ｂに対する第１回動軸部３３の嵌合状態が保持されるように構成されている。なお、脱落抑制端面６６は、本発明の「第２脱落抑制部」の一例である。
【００４１】
次に、図７を参照して、レバー部材３の使用時の回動について説明する。すなわち、マネーケース５にレバー支持部材６を介してレバー部材３が取り付けられている状態でのレバー部材３の回動について説明する。
【００４２】
レバー部材３は、図７に示すように、レバー部材３の紙幣押圧部３０の先端がマネーケース５の底板部５０に当接する状態（実線で示す状態）から、レバー部材３の回動規制部３７がレバー支持部材６に当接する状態（二点鎖線で示す状態）までの間を回動可能である。したがって、レバー部材３は、回動角α度の範囲内で回動する。また、レバー部材３は、回動する際に、マネーケース５の収納方向（Ｙ１方向）への力が加えられた場合には、上記取付部３１の先端に形成された段差部３４が回動軸受部６０に当接する。これにより、レバー部材３は、収納方向への移動が規制される。すなわち、レバー部材３は、回動軸受部６０との嵌合が解除されない。したがって、レバー部材３は、使用時にレバー支持部材６から外れることはない。また、レバー部材３は、レバー支持部材６がマネーケース５に取付けられる前にレバー支持部材６に取り付けられる。
【００４３】
次に、図７および図８を参照して、レバー部材３のレバー支持部材６への取付け方法について説明する。
【００４４】
まず、図８に示すように、レバー支持部材６をマネーケース５から取外した状態で、図７における底板部５０に当接するレバー部材３をさらに第１回動軸部３３回りの時計回りに回動させる。そして、所定の方向で、レバー部材３をレバー支持部材６に対して保持する。この状態では、レバー部材３は、Ｙ方向に移動させたとしても、段差部３４がレバー支持部材６に当接しないように保持されている。また、レバー部材３の第１回動軸部３３をレバー支持部材６の回動軸受部６０の開放部Ａ側（Ｙ１方向側）に配置する。そして、第１回動軸部３３をＹ２方向に移動させて、開放部Ａから導入することにより、第１回動軸部３３と回動軸受部６０とを嵌合させる。そして、この嵌合状態を保持しながらレバー支持部材６をマネーケース５に取付ける。
【００４５】
第１実施形態では、上記のように、レバー支持部材６の回動軸受部６０に対して、回動可能に取り付けられるとともに、紙幣を押えるレバー部材３を設けることによって、レバー部材３を２つの部材により構成しなくてもレバー部材３を回動可能に構成することができるので、部品点数が増大するのを抑制することができる。また、レバー部材３に、レバー支持部材６の回動軸受部６０に開放部Ａから導入されて嵌合される第１回動軸部３３と、レバー支持部材６に当接することによりレバー部材３がレバー支持部材６から軸方向と直交する方向（Ｙ１方向）に脱落するのを抑制する段差部３４とを設ける。これにより、レバー部材３の使用時において、段差部３４がレバー支持部材６に当接するので、レバー支持部材６からレバー部材３が脱落するのを抑制することができる。その結果、レバー部材３により安定して紙幣などを押えることができる。
【００４６】
また、第１実施形態では、上記のように、回動軸受部６０を、軸方向と直交する方向（Ｙ１方向）に開放部Ａを有するＵ字状に形成し、開放部Ａの開放幅Ｗを、第１回動軸部３３の径Ｄ以上の大きさを有するように構成する。これにより、第１回動軸部３３の径Ｄ以上の大きさの開放幅Ｗを有する開放部Ａから第１回動軸部３３を導入することができるので、弾性変形させることなくレバー部材３をレバー支持部材６に取り付けることができる。これにより、弾性変形に起因して、レバー部材３が破損するのを防止することができる。また、Ｕ字形状に形成された回動軸受部６０の開放部Ａから第１回動軸部３３を導入することにより、回動軸受部６０と第１回動軸部３３とを嵌合させることができるので、簡易な構成で簡単にレバー部材３をレバー支持部材６に取付けることができる。
【００４７】
また、第１実施形態では、上記のように、レバー部材３に、端部に突起状の第１回動軸部３３が形成された取付部３１を設け、レバー支持部材６に、取付部３１が配置された状態で、第１回動軸部３３の軸方向（Ｘ方向）への取付部３１の移動を規制する脱落抑制端面６６を設ける。これにより、レバー部材３の使用時に、レバー部材３の取付部３１の軸方向の移動が規制されるので、軸方向に移動することに起因して、レバー部材３の第１回動軸部３３が回動軸受部６０から外れるのを抑制することができる。これにより、レバー支持部材６からレバー部材３が脱落するのをより抑制することができる。
【００４８】
また、第１実施形態では、上記のように、第１回動軸部３３と回動軸受部６０との軸方向（Ｘ方向）嵌合量Ｌ４を、取付部３１とレバー支持部材６の脱落抑制端面６６との軸方向の隙間Ｌ５よりも大きくする。これにより、レバー部材３が、取付部３１とレバー支持部材６の脱落抑制端面６６との軸方向の隙間Ｌ５以上の軸方向の移動をすることができなくなるので、レバー支持部材６からレバー部材３が脱落するのを確実に抑制することができる。
【００４９】
また、第１実施形態では、上記のように、回動軸受部６０を、第１回動軸部３３の軸方向に略等間隔で３つ形成されているとともに、両端の回動軸受部６０に挟まれた中央の回動軸受部６０を共用することによって、レバー部材３を２通りの配置により取り付け可能に構成する。これにより、レバー部材３の取付け位置を近接する他の位置に変更できるので、レバー部材３の取付け位置を僅かに変更することができ、レバー部材３の取付け位置の自由度を高めることができる。また、回動軸受部６０を共用することによって、第１回動軸部３３が取り付けられる各々の位置に回動軸受部６０を設ける必要がなくなる。これにより、装置構成を簡略化することができる。
【００５０】
また、第１実施形態では、上記のように、レバー支持部材６を、３つのレバー部材３を第１間隔で取り付け可能であるとともに、４つのレバー部材３を第１間隔とは異なる第２間隔で取り付け可能なように構成する。これにより、キャッシュレジスタ１００のレバー部材３の数が、一般的に多く使用される３つまたは４つとなるように、レバー部材３を適切な配置で取り付けることができる。
【００５１】
（第２実施形態）
次に、図９〜図１２を参照して、本発明の第２実施形態について説明する。この第２実施形態では、レバー部材３の一対の取付部３１が、取付部３１の内側に向かって軸方向に沿って延びる第１回動軸部３３をそれぞれ有するように構成した上記第１実施形態に加えて、レバー部材２０３の一対の取付部３１が、取付部３１の外側に向かって軸方向に沿って延びる第２回動軸部２３３もそれぞれ有する例について説明する。
【００５２】
図９を参照して、レバー部材２０３の構成について説明する。
【００５３】
レバー部材２０３は、図９に示すように、一方端部に端部が２つに分岐することにより形成された２つの取付部３１を有している。また、レバー部材２０３の一対の取付部３１には、先端部に、第１回動軸部３３と同一軸線上の外方（互いに離間する方向）に向かって延びる突起状の第２回動軸部２３３がそれぞれ形成されている。取付部３１は、第１回動軸部３３または第２回動軸部２３３のいずれか一方をレバー支持部材２０６の回動軸受部２６０（２６０ａ〜２６０ｊ、図１０参照）に嵌合させるように構成されている。
【００５４】
また、一対の取付部３１は、第１回動軸部３３の内方側に第１回動軸部２３３に対面するリブ部２３８をそれぞれ有している。そして、レバー部材２０３は、第１回動軸部３３により回動軸受部２６０に嵌合させる場合には、第１回動軸部３３とリブ部２３８とにより回動軸受部２６０を挟み込むように構成されている。これにより、レバー部材２０３は、軸方向への移動が規制されるとともに、安定した回動が可能なように構成されている。
【００５５】
次に、図１０を参照して、レバー支持部材２０６の構成について説明する。
【００５６】
また、レバー支持部材２０６は、長辺方向に延びる一方端部にＵ字状の回動軸受部２６０（２６０ａ〜２６０ｊ）が並ぶように形成されている。
【００５７】
また、レバー支持部材２０６の回動軸受部２６０ａ〜２６０ｊは、回動軸受部２６０ａおよび２６０ｂと、回動軸受部２６０ｃおよび２６０ｄと、回動軸受部２６０ｅおよび２６０ｆと、回動軸受部２６０ｇおよび２６０ｈと、回動軸受部２６０ｉおよび２６０ｊとが、回動軸受群２６１ａ〜２６１ｅを構成している。また、回動軸受群２６１ａおよび２６１ｅを構成する回動軸受部２６０は、それぞれ距離Ｌ６を隔てて配置されている。また、回動軸受群２６１ｂ〜２６１ｄを構成する回動軸受部２６０は、それぞれ距離Ｌ６よりも小さな距離Ｌ７を隔てて配置されている。
【００５８】
ここで、回動軸受群２６１ａにレバー部材２０３を取り付ける場合について考える。この場合には、レバー部材２０３は、図１１に示すように、回動軸受部２６０ａのＸ２方向側に一方の取付部３１が配置されるとともに、回動軸受部２６０ｂのＸ２方向側に他方の取付部３１が配置される配置パターンと、回動軸受部２６０ａのＸ１方向側に一方の取付部３１が配置されるとともに、回動軸受部２６０ｂのＸ１方向側に他方の取付部３１が配置される配置パターンとにより、レバー支持部材２０６の所定位置に配置されることが可能に構成されている。
【００５９】
また、レバー支持部材２０６は、回動軸受群２６１ａ〜２６１ｅの組み合わせにより、３つのレバー部材２０３を第１間隔で取り付け可能であるとともに、４つのレバー部材２０３を第１間隔とは異なる第２間隔で取り付け可能なように構成されている。
【００６０】
すなわち、レバー支持部材２０６は、図１２に示すように、３つのレバー部材２０３を取り付ける場合には、回動軸受群２６１ａの回動軸受部２６０ａおよび２６０ｂのＸ１方向側と、回動軸受群２６１ｃの回動軸受部２６０ｆのＸ２方向側および回動軸受郡２６１ａの回動軸受部２６０ｇのＸ１方向側と、回動軸受群２６１ｅの回動軸受部２６０ｉおよび２６０ｊのＸ２方向側とに、それぞれレバー部材２０３を取り付けることにより、隣り合うレバー部材２０３が第１間隔となるように構成されている。また、図１３に示すように、レバー支持部材２０６は、４つのレバー部材２０３を取り付ける場合には、回動軸受群２６１ａの回動軸受部２６０ａおよび２６０ｂのＸ２方向側と、回動軸受群２６１ｂと、回動軸受群２６１ｄと、回動軸受群２６１ｅの回動軸受部２６０ｋおよび２６０ｊのＸ１方向側とに、それぞれレバー部材２０３を取り付けることにより、隣り合うレバー部材２０３が第２間隔となるように構成されている。
【００６１】
なお、第２実施形態のその他の構成は、上記第１実施形態と同様である。
【００６２】
第２実施形態では、上記のように、レバー支持部材２０６の回動軸受部２６０に対して、回動可能に取り付けられるとともに、紙幣を押えるレバー部材２０３を設けることによって、レバー部材２０３を２つの部材により構成しなくてもレバー部材２０３を回動可能に構成することができるので、部品点数が増大するのを抑制することができる。また、レバー部材２０３に、レバー支持部材２０６の回動軸受部２６０に開放部から導入されて嵌合される第１回動軸部３３と、レバー支持部材２０６に当接することによりレバー部材２０３がレバー支持部材２０６から軸方向と直交する方向（Ｙ１方向）に脱落するのを抑制する段差部３４とを設ける。これにより、レバー部材２０３が脱落するのを抑制することができ、レバー部材２０３により安定して紙幣などを押えることができる。
【００６３】
また、第２実施形態では、上記のように、取付部３１の内側に向かって軸方向に沿って延びる第１回動軸部３３と、取付部の外側に向かって軸方向に沿って延びる第２回動軸部２３３とを設け、軸方向の一方側に配置される取付部３１と他方側に配置される取付部３１とを設け、回動軸受部２６０は、軸方向に複数形成され、回動軸受部に第１回動軸部２６０または第２回動軸部２３３が嵌合された状態で、取付部３１を軸方向のいずれの方向側にも配置可能に構成されている。これにより、第１回動軸受部３３および第２回動軸受部２３３に対して、取付部３１を、軸方向のいずれの方向側からでも嵌合させることができるので、レバー部材２０３の取付け位置の自由度をより高めることができる。
【００６４】
また、第２実施形態では、上記のように、回動軸受部２６０ａのＸ２方向側に一方の取付部３１が配置されるとともに、回動軸受部２６０ｂのＸ２方向側に他方の取付部３１が配置される配置パターンと、回動軸受部２６０ａのＸ１方向側に一方の取付部３１が配置されるとともに、回動軸受部２６０ｂのＸ１方向側に他方の取付部３１が配置される配置パターンとの２通りの配置により、レバー部材２０３を取り付け可能に構成する。このように構成すれば、第１回動軸受部２６０および第２回動軸受部に対して、取付部３１を、いずれの軸方向からでも嵌合させることができるので、レバー部材２０３の取付け位置の自由度を高めることができる。
【００６５】
なお、第２実施形態のその他の効果は、上記第１実施形態と同様である。
【００６６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６７】
たとえば、上記第１および第２実施形態では、それぞれレバー支持部材にレバー部材を３つおよび４つ取り付けられるように構成を示したが、本発明はこれに限られない。本発明では、レバー部材を５つ以上取り付けられるように構成してもよい。
【００６８】
また、上記第１実施形態では、図６に示すように、脱落抑制端面６６をレバー部材３の軸方向の片側に設ける例を示したが、本発明はこれに限られない。本発明では、たとえば、図１４に示すように、脱落抑制端面６６をレバー部材３の軸方向の両側に設けてもよい。
【００６９】
また、上記第１実施形態では、レバー部材を内側に延びる回動軸部を備えるように構成するとともに、上記第２実施形態では、レバー部材を内側および外側にそれぞれ延びる第１回動軸部および第２回動軸部を備えるように構成する例を示したが、本発明はこれに限られない。本発明では、たとえば、レバー部材を外側にのみ延びる回動軸部を備えるように構成してもよい。
【００７０】
また、上記第１および第２実施形態では、回動軸受部の開放部がＵ字状に形成される例を示したが、本発明はこれに限られない。本発明では、回動軸受部が、軸方向と直交する方向に開放部を有しているとともに、回動軸部を導入して嵌合可能であればＵ字状以外の形状に形成されていてもよい。
【符号の説明】
【００７１】
３、２０３  レバー部材
５  マネーケース（本体ケース）  
６、２０６  レバー支持部材
３１  取付部
３３  第１回動軸部（回動軸部）
３４  段差部（第１脱落抑制部、脱落抑制部）
６０ａ〜６０ｌ、２６０ａ〜２６０ｊ  回動軸受部
６６  脱落抑制端面（第２脱落抑制部）
１００  キャッシュレジスタ（金銭入出金装置、金銭収納装置）
２３３  第２回動軸部（回動軸部）
【図１】
2015035062.tif 000003
【図２】
2015035062.tif 000004
【図３】
2015035062.tif 000005
【図４】
2015035062.tif 000006
【図５】
2015035062.tif 000007
【図６】
2015035062.tif 000008
【図７】
2015035062.tif 000009
【図８】
2015035062.tif 000010
【図９】
2015035062.tif 000011
【図１０】
2015035062.tif 000012
【図１１】
2015035062.tif 000013
【図１２】
2015035062.tif 000014
【図１３】
2015035062.tif 000015
【図１４】
2015035062.tif 000016